(57)【特許請求の範囲】
【請求項１】
縦長の断面が長方形状の基材と、この基材の屋外面のほぼ中央部から屋外側に突出した支持腕と、固定具とからなる軒樋支持具であって、
前記基材は屋内側面が傾斜して、厚みが上方に行く程薄くなされたものであり、この基材には、屋外側面の上端部に屋外方向に突出した突起が設けられ、対角位置の角が円弧状になされた円弧部が設けられ、
前記支持腕には、先端に屋外側耳保持部が設けられ、この屋外側耳保持部より屋内側に屋内側耳保持部が設けられ、
前記固定具は、屋内側板と、この屋内側板の上端部から屋外方向に突出した上板と、この上板の先端からほぼ垂下した屋外側上板と、屋内側板の下端部から屋外方向に突出した下板と、この下板の先端からほぼ垂直に立上りした屋外側下板と、屋外側上板と屋外側下板との間に設けられた開口部とからなる断面Ｃ型の長尺体であり、屋外側上板には、ほぼ一列に並んだ複数個の通孔が設けられ、
この開口部の上下間の距離は、基材の長方形状の横方向の長さより大きく、基材の長方形状の縦方向の長さより小さくなされ、基材が固定具の断面Ｃ型の中に挿入され、支持腕を固定具の開口部から屋外方向に突出させて、基材の突起が固定具の屋外側上板の通孔の中に挿入されて、基材が固定具に止着されていることを特徴とする軒樋支持具。
【請求項２】
縦長の断面が長方形状の基材と、この基材の屋外面のほぼ中央部から屋外側に突出した支持腕と、固定具とからなる軒樋支持具であって、
前記基材には、下端面に下方向に突出した突起が設けられ、対角位置の角が円弧状になされた円弧部が設けられ、
前記支持腕には、先端に屋外側耳保持部が設けられ、この屋外側耳保持部より屋内側に屋内側耳保持部が設けられ、
前記固定具は、屋内側板と、この屋内側板の上端部から屋外方向に突出した上板と、この上板の先端からほぼ垂下した屋外側上板と、屋内側板の下端部から屋外方向に突出した下板と、この下板の先端からほぼ垂直に立上りした屋外側下板と、屋外側上板と屋外側下板との間に設けられた開口部とからなる断面Ｃ型の長尺体であり、下板には、ほぼ一列に並んだ複数個の通孔が設けられ、
この開口部の上下間の距離は、基材の長方形状の横方向の長さより大きく、基材の長方形状の縦方向の長さより小さくなされ、基材が固定具の断面Ｃ型の中に挿入され、支持腕を固定具の開口部から屋外方向に突出した状態にして、基材の突起が固定具の下板の通孔の中に挿入されて、基材が固定具に止着されていることを特徴とする軒樋支持具。
【請求項３】
縦長の断面が長方形状の基材と、この基材の屋外面のほぼ中央部から屋外側に突出した支持腕と、固定具とからなる軒樋支持具であって、
前記基材には、屋内側面のほぼ中央部に窪みが設けられ、対角位置の角が円弧状になされた円弧部が設けられ、
前記支持腕には、先端に屋外側耳保持部が設けられ、この屋外側耳保持部より屋内側に屋内側耳保持部が設けられ、
前記固定具は、屋内側板と、この屋内側板の上端部から屋外方向に突出した上板と、この上板の先端からほぼ垂下した屋外側上板と、屋内側板の下端部から屋外方向に突出した下板と、この下板の先端からほぼ垂直に立上りした屋外側下板と、屋外側上板と屋外側下板との間に設けられた開口部とからなる断面Ｃ型の長尺体であり、屋内側板には、ほぼ一列に並んだ複数個の屋外方向に突出した突起が設けられ、
この開口部の上下間の距離は、基材の長方形状の横方向の長さより大きく、基材の長方形状の縦方向の長さより小さくなされ、基材が固定具の断面Ｃ型の中に挿入され、支持腕を固定具の開口部から屋外方向に突出させて、固定具の屋内側板の突起が基材の窪みの中に挿入されて、基材が固定具に止着されていることを特徴とする軒樋支持具。
【請求項４】
上端部の上片と中央部の山部と下端部の下片を有する縦長の断面が長方形状の基材と、板状の取付板と、この取付板の屋外面のほぼ中央部から屋外側に突出した支持腕と、固定具とからなる軒樋支持具であって、
前記基材には上片と下片の対角位置の角が円弧状になされた円弧部が設けられ、
前記取付板には下端部にビス孔が設けられ、
前記支持腕には、先端に屋外側耳保持部が設けられ、この屋外側耳保持部より屋内側に屋内側耳保持部が設けられ、
前記固定具は、屋内側板と、この屋内側板の上端部から屋外方向に突出した上板と、この上板の先端からほぼ垂下した屋外側上板と、屋内側板の下端部から屋外方向に設けられた下部材と、この下部材の先端からほぼ垂直に立上りした屋外側下板と、屋外側上板と屋外側下板との間に設けられた開口部とからなる断面Ｃ型の長尺体であり、この開口部の上下間の距離は、基材の長方形状の横方向の長さより大きく、基材の長方形状の縦方向の長さより小さくなされ、
取付板の屋内面にほぼ垂直にして基材の中央部の山部が固着され、上片と取付板の屋内面間に上側隙間部と、下片と取付板の屋内面間に下側隙間部とが形成され、
上側隙間部に固定具の屋外側上板が、下側隙間部に固定具の屋外側下板が挿入され、基材の上片と下片が固定具に挿入され、支持腕を固定具の開口部から屋外方向に突出させた、取付板の下端部に設けられたビス孔に螺入されたビスで固定具の下部材を押圧して止着されていることを特徴とする軒樋支持具。
【発明の詳細な説明】
【０００１】
【発明の属する技術分野】
本発明は、軒先に取着固定されて軒樋を保持する軒樋支持具に関する。
【０００２】
【従来の技術】
従来、軒樋支持具としては、実開平４−７６８３８号公報に記載あるように、板状の基材と、この基材の屋外面のほぼ中央部から屋外側に突出し、軒樋を支持する支持腕と、屋外側の開口部の上下に係止溝が設けられた固定具とからなり、支持腕の正面視での傾いた姿勢における基材の上下長さを、固定具の開口部の距離よりも短く設定し、支持腕の正面視での正常姿勢において基材の上下両端部の係止部を、固定具の上下の係止溝に係止してなるものが知られている。
又、上記公報には別の方法として、基材を固定具に固定させるため、基材を上部、下部に分けて、上部、下部基材の間にバネ等の弾性部材を取り付け、固定具の上方の係止溝に通孔を設け、この通孔に基材の上部上端の突起をバネ等の弾性部材の力で差し込んで、固定させているものが記載されている。
【０００３】
【発明が解決しようとする課題】
しかしながら、実開平４−７６８３８号公報に記載の軒樋支持具は、基材の取付位置を自由に選ぶことができるが、基材の上下両端部の係止部を、固定具の上下の係止溝に係止してなるだけで、ボルト等で止めていないため、軒樋の夏冬の温度差による膨張伸縮、軒樋に強風や積雪による力等で、長期間使用している間に、軒樋支持具の位置がずれ、軒樋、軒樋継手等が破損し、水漏れの原因となるという問題がある。
又、基材を上部、下部に分けて、上部、下部の間にバネ等の弾性部材を取り付け、固定具の上方の係止溝に通孔を設け、この通孔に基材の上部上端の突起をバネ等の弾性部材の力で差し込んで、固定させているものは、構造が複雑で、構成部品点数が増え、手間がかかり、製造コストが増加するという問題がある。
【０００４】
本発明の目的は、上記問題に着目してなされたもので、軒樋支持具の位置がずれないで、固定具に基材の取付と固定が簡単で且つ正確にできる構造の簡単な軒樋支持具を提供するものである。
【０００５】
【課題を解決するための手段】
本発明は上記の目的を達成するためになされたもので、請求項１記載の本発明は、縦長の断面が長方形状の基材と、この基材の屋外面のほぼ中央部から屋外側に突出した支持腕と、固定具とからなる軒樋支持具であって、基材は屋内側面が傾斜して、厚みが上方に行く程薄くなされたものであり、この基材には、屋外側面の上端部に屋外方向に突出した突起が設けられ、対角位置の角が円弧状になされた円弧部が設けられ、支持腕には、先端に屋外側耳保持部が設けられ、この屋外側耳保持部より屋内側に屋内側耳保持部が設けられ、固定具は、屋内側板と、この屋内側板の上端部から屋外方向に突出した上板と、この上板の先端からほぼ垂下した屋外側上板と、屋内側板の下端部から屋外方向に突出した下板と、この下板の先端からほぼ垂直に立上りした屋外側下板と、屋外側上板と屋外側下板との間に設けられた開口部とからなる断面Ｃ型の長尺体であり、屋外側上板には、ほぼ一列に並んだ複数個の通孔が設けられ、この開口部の上下間の距離は、基材の長方形状の横方向の長さより大きく、基材の長方形状の縦方向の長さより小さくなされ、基材が固定具の断面Ｃ型の中に挿入され、支持腕を固定具の開口部から屋外方向に突出させて、基材の突起が固定具の屋外側上板の通孔の中に挿入されて、基材が固定具に止着されているものである。
【０００６】
請求項２記載の本発明は、縦長の断面が長方形状の基材と、この基材の屋外面のほぼ中央部から屋外側に突出した支持腕と、固定具とからなる軒樋支持具であって、基材には、下端面に下方向に突出した突起が設けられ、対角位置の角が円弧状になされた円弧部が設けられ、支持腕には、先端に屋外側耳保持部が設けられ、この屋外側耳保持部より屋内側に屋内側耳保持部が設けられ、固定具は、屋内側板と、この屋内側板の上端部から屋外方向に突出した上板と、この上板の先端からほぼ垂下した屋外側上板と、屋内側板の下端部から屋外方向に突出した下板と、この下板の先端からほぼ垂直に立上りした屋外側下板と、屋外側上板と屋外側下板との間に設けられた開口部とからなる断面Ｃ型の長尺体であり、下板には、ほぼ一列に並んだ複数個の通孔が設けられ、この開口部の上下間の距離は、基材の長方形状の横方向の長さより大きく、基材の長方形状の縦方向の長さより小さくなされ、基材が固定具の断面Ｃ型の中に挿入され、支持腕を固定具の開口部から屋外方向に突出させて、基材の突起が固定具の下板の通孔の中に挿入されて、基材が固定具に止着されているものである。
【０００７】
請求項３記載の本発明は、縦長の断面が長方形状の基材と、この基材の屋外面のほぼ中央部から屋外側に突出した支持腕と、固定具とからなる軒樋支持具であって、基材には、屋内側面のほぼ中央部に窪みが設けられ、対角位置の角が円弧状になされた円弧部が設けられ、支持腕には、先端に屋外側耳保持部が設けられ、この屋外側耳保持部より屋内側に屋内側耳保持部が設けられ、固定具は、屋内側板と、この屋内側板の上端部から屋外方向に突出した上板と、この上板の先端からほぼ垂下した屋外側上板と、屋内側板の下端部から屋外方向に突出した下板と、この下板の先端からほぼ垂直に立上りした屋外側下板と、屋外側上板と屋外側下板との間に設けられた開口部とからなる断面Ｃ型の長尺体であり、屋内側板には、ほぼ一列に並んだ複数個の屋外方向に突出した突起が設けられ、この開口部の上下間の距離は、基材の長方形状の横方向の長さより大きく、基材の長方形状の縦方向の長さより小さくなされ、基材が固定具の断面Ｃ型の中に挿入され、支持腕を固定具の開口部から屋外方向に突出させて、固定具の屋内側板の突起が基材の窪みの中に挿入されて、基材が固定具に止着されているものである。
【０００８】
請求項４記載の本発明は、上端部の上片と中央部の山部と下端部の下片を有する縦長の断面が長方形状の基材と、板状の取付板と、この取付板の屋外面のほぼ中央部から屋外側に突出した支持腕と、固定具とからなる軒樋支持具であって、基材には上片と下片の対角位置の角が円弧状になされた円弧部が設けられ、取付板の下端部にビス孔が設けられ、支持腕には、先端に屋外側耳保持部が設けられ、この屋外側耳保持部より屋内側に屋内側耳保持部が設けられ、固定具は、屋内側板と、この屋内側板の上端部から屋外方向に突出した上板と、この上板の先端からほぼ垂下した屋外側上板と、屋内側板の下端部から屋外方向に設けられた下部材と、この下部材の先端からほぼ垂直に立上りした屋外側下板と、屋外側上板と屋外側下板との間に設けられた開口部とからなる断面Ｃ型の長尺体であり、この開口部の上下間の距離は、基材の長方形状の横方向の長さより大きく、基材の長方形状の縦方向の長さより小さくなされ、取付板の屋内面にほぼ垂直に基材の中央部の山部が固着され、上片と取付板の屋内面間に上側隙間部と、下片と取付板の屋内面間に下側隙間部とが形成され、上側隙間部に固定具の屋外側上板が、下側隙間部に固定具の屋外側下板が挿入され、基材の上片と下片が固定具に挿入され、支持腕を固定具の開口部から屋外方向に突出させて、取付板の下端部に設けられたビス孔に螺入されたビスで固定具の下部材を押圧して止着されているものである。
【０００９】
本発明の軒樋支持具の材質は、合成樹脂、金属が使用されるが、支持腕と基材と突起とは、軽量、防錆の点で合成樹脂がよく、合成樹脂の中でも、可撓性、衝撃性の点で、ポリカ−ボネ−ト樹脂が好ましい。又、固定具は、軽量、防錆、強度の点でアルミニュウムが好ましい。
又、請求項１記載、請求項２記載及び請求項３記載の本発明において、軒樋支持具の支持腕と基材と突起は、射出成形法で製造すると、基材と支持腕、基材の突起、又は窪みとが一体成形できるので、好ましい。
又、請求項４記載の本発明において、軒樋支持具の支持腕と取付板、基材は、射出成形法で製造すると、支持腕と取付板、ビス孔とが一体成形でき、基材を後加工で接着剤、又は、溶接で固着できるので、好ましい。
【００１０】
請求項１記載及び請求項２記載の本発明において、基材が断面Ｃ型の固定具の中に挿入されているが、基材の厚み、高さは断面Ｃ型の固定具の内側の奥行き、高さとほぼ同じであると、ガタつきがなく、位置がずれにくいので好ましい。
【００１１】
又、円弧部の円弧は、基材の中心から円弧の端迄の距離が断面Ｃ型の固定具の中の高さの半分を越えない長さの曲線からなっていると、スム−ズに回転できるので好ましい。
又、基材の中心から他の対角コ−ナ−の角部及び平坦部までの距離が断面Ｃ型の固定具の中の高さとほぼ同じか僅かに短くすると、基材を円弧側に９０度回転しても角部及び平坦部でしっかりと止まり、９０度以上回転しないので、好ましい。
【００１２】
（作用）
本発明の請求項１記載の軒樋支持具の使用方法を説明しながら、作用を説明する。
断面Ｃ型の固定具を軒先に取り付ける。
次に、縦長の断面が長方形状の基材を横にして、固定具の開口部から中に挿入し、支持腕を断面Ｃ型の固定具の開口部から屋外方向に突出させる。
すると、この開口部の上下間の距離は、基材の長方形状の横方向の長さより大きく、基材の長方形状の縦方向の長さより小さくなされ、基材が断面Ｃ型の中に挿入されているから、縦長の断面が長方形状の基材を横にすれば、どの位置からでも、固定具に差し込むこができ、従来のように、基材を端から固定具に差し込んで、所定の位置にスライドさせる必要はない。
【００１３】
次に、横になった基材を押し込みながら、円弧側にほぼ９０度回動させて、支持腕の正面視での正常姿勢に戻す。
すると、軒樋支持具の固定具は、屋内側板と、この屋内側板の上端部から屋外方向に突出した上板と、この上板の先端からほぼ垂下した屋外側上板と、屋内側板の下端部から屋外方向に突出した下板と、この下板の先端からほぼ垂直に立上りした屋外側下板とからなる断面Ｃ型の長尺体となされているから、この固定具の内側の上端部、下端部では、それぞれ溝部が形成されており、この溝部に基材の上端部と下端部とが入る。
【００１４】
次に、基材の屋外側面に設けられた突起を固定具の屋外側上板の通孔に嵌めて、基材を固定具に止着する。
すると、固定具の屋外側上板には通孔が設けられ、基材の屋外側面に突起が設けられているから、横にした基材を、固定具の中に挿入し、基材の屋外側面の突起と固定具の屋外側上板の通孔との位置を合わせ、基材を押し込みながら、円弧側にほぼ９０度回動させた後、突起を通孔に嵌めることにより、基材を固定具にしっかりと止着させることができる。
【００１５】
基材は屋内側板が傾斜して、厚みが上方に行く程薄くなされているから、固定具の開口部から横にした基材を押し込みながら挿入し、基材の傾斜した屋内側面を、固定具の屋内側板に当接させながら、基材を自在に移動したり、基材を円弧側にほぼ９０度回動させると、基材の屋外面に設けられた突起が固定具に引っ掛からずに、スムースに移動したり、回動させることができる。
又、この基材には、対角位置の角が円弧状になされた円弧部が設けられているから、基材が固定具の内側の上端部、下端部の溝部の中の上板や下板に引っ掛かからずに、スム−スに移動したり、回動させることができる。
又、固定具には通孔が屋外側上板にほぼ一列に並んで複数個設けられているから、この複数個の通孔のいずれかを選んで突起を嵌めることによって、所定の位置に基材を止着することができる。
【００１６】
又、基材を固定具から外すときは、支持腕を持って基材の突起を押し込んで、基材の傾斜した屋内側面を、固定具の屋内側板に当接させると、基材の屋外側面の突起が固定具の屋外側上板の通孔から外れるので、固定具内の所定の位置に、基材を自在に移動したり、回動して、基材を固定具から外すことができ、取り替えが容易である。
【００１７】
本発明の請求項２記載の軒樋支持具は、請求項１記載の軒樋支持具と異なるところは、基材と固定具の形状が異なるだけで、下記の構造と作用を除き、構造、使用方法と作用は殆ど同じであるので、この異なるところのみを説明し、その他の説明は省略する。
【００１８】
固定具の下板には通孔が設けられ、基材の下端面に突起が設けられているから、横にした基材を、固定具の中に挿入し、基材の下端面の突起と固定具の下板の通孔との位置を合わせ、基材を円弧側にほぼ９０度回動させた後、下方に移動させて、突起を通孔に嵌めることにより、基材を固定具にしっかりと止着することができる。
又、固定具には通孔が、下板にほぼ一列に並んで複数個設けられているから、複数個の通孔のいずれかを選んで突起を嵌めることによって、所定の位置に基材を止着することができる。
【００１９】
又、基材を若干持ち上げると、基材の下端面の突起が固定具の下板の通孔から外れた状態になるので、基材の突起を通孔の位置からずらせることにより、固定具内の所定の位置に、基材を自在に移動したり、回動させることができ、取り替えが容易である。
【００２０】
本発明の請求項３記載の軒樋支持具は、請求項１記載の軒樋支持具と異なるところは、基材と固定具の形状が異なるだけで、下記の構造と作用を除き、構造、使用方法と作用は殆ど同じであるので、この異なるところのみを説明し、その他の説明は省略する。
【００２１】
固定具の屋内側板には突起が設けられ、基材の屋内側面のほぼ中央部に窪みが設けられているから、固定具の中に横になった基材を挿入し、基材の屋内側面のほぼ中央部に窪みと、固定具の屋内側板には突起との位置を合わせ、基材を円弧側にほぼ９０度回動させて、突起を窪みに嵌めることにより、基材を固定具にしっかりと止着することができる。
又、固定具には突起が屋内側板にほぼ一列に並んで複数個設けられているから、この複数個の突起の中から所定位置にある突起を選んで、この突起の場所に基材の窪みを移動させて、この所定の位置で、基材を横にして固定具の中に挿入し、基材を円弧側にほぼ９０度回動させて、基材を固定具に止着することができる。
【００２２】
本発明の請求項４記載の軒樋支持具は、請求項１記載の軒樋支持具と異なるところは、基材と固定具の形状が異なるだけで、下記の構造と作用を除き、構造、使用方法と作用は殆ど同じであるので、この異なるところのみを説明し、その他の説明は省略する。
【００２３】
取付板の下端部にビス孔と、上端部屋内面に上片と下片を有する基材とが設けられているから、固定具の中に横になった上片と下片を有する基材を挿入し、上片と下片を有する基材を円弧側にほぼ９０度回動させた後、取付板の下端部にビス孔にビスを螺入し、固定具の下部材を押圧すると取付板を固定具にしっかりと止着することができる。
【００２４】
【発明の実施の形態】
本発明の一実施例を図１及び図４に基づいて説明する。
図１の（イ）は軒樋支持具の支持腕と基材の側面図、（ロ）は（イ）のＸ−Ｘ線矢視図、（ハ）は軒樋支持具の固定具の斜視説明図、（ニ）は固定具に基材を固定した状態を示す説明図、図４は基材を横にして、固定具に挿入し、基材の円弧側にほぼ９０度回動して、支持腕の正面視での正常姿勢に戻す状態を示す説明図である。
図１に示すように、Ａは軒樋支持具であり、この軒樋支持具Ａは基材１と支持腕２と固定具３とからなり、基材１と支持腕２はポリカ−ボネ−ト樹脂製で射出成形法で一体に作られ、固定具３はアルミニュウム製で作られている。
【００２５】
基材１は縦長の断面が長方形状で、この基材１の屋外面のほぼ中央部から屋外側に支持腕２が突出し、支持腕２は連結部材４で繋がれている。
この基材１には、屋外側面の上端部に屋外方向に突出した突起１１が設けられ、屋外側から見て左上と右下の角が円弧状になされた円弧部１２が設けられ、基材の屋内側面が傾斜して、厚みが上方に行く程薄くなされている。
【００２６】
支持腕２には、先端に屋外側耳保持部２１が設けられ、この屋外側耳保持部２１より屋内側に屋内側耳保持部２２が設けられている。
【００２７】
固定具３は、屋内側板３１と、この屋内側板３１の上端部から屋外方向に突出した上板３２と、この上板３２の先端からほぼ垂直に垂下した屋外側上板３３と、屋内側板３１の下端部から屋外方向に突出した下板３４と、この下板３４の先端からほぼ垂直に立上りした屋外側下板３５と、屋外側上板３３と屋外側下板３５との間に設けられた開口部３８とからなる断面Ｃ型の長尺体とされている。
この開口部３８の上下間の距離は、基材１の長方形状の横方向の長さより大きく、基材１の長方形状の縦方向の長さより小さくなされている。
固定具３の屋外側上板３３には、一定間隔置いて、ほぼ一列に並んで複数個の通孔３６が設けられている。
屋内側板３１の両端部と中央部に一個づつ計３個に取付孔３７が設けられている。
【００２８】
基材１が固定具３の断面Ｃ型の中に挿入されされているが、基材１の厚み、高さは断面Ｃ型の固定具３の内側の奥行き、高さとほぼ同じになされ、基材１が断面Ｃ型の固定具３の中でガタつかず、位置ずれがないようにされている。
支持腕２を断面Ｃ型の固定具３の開口部３８から屋外方向に突出させて、基材１の屋外側面から屋外方向に突出した突起１１が、固定具３の屋外側上板３３の通孔３６に嵌められて、基材１は固定具３に止着されている。
【００２９】
次に、軒樋支持具Ａの施工方法及び作用について説明する。
先ず、固定具３の屋内側板３１の取付孔３７にビスを差し込み、軒先にビスを螺入して、固定具３を軒先に取り付ける。
次に、基材１の円弧部１２が屋外側から見て左上と右下になるように、縦長の断面が長方形状の基材１を横にして、固定具３の開口部３８から、固定具３の中に挿入し、支持腕２を固定具３の断面Ｃ型の開口部３８から屋外方向に突出させる。
すると、この開口部３８の上下間の距離は、基材１の長方形状の横方向の長さより大きく、基材１の長方形状の縦方向の長さより小さくなされ、基材１が断面Ｃ型の中に挿入されているから、縦長の断面が長方形状の基材１を横にすれば、どの位置からでも、固定具３に差し込むこができ、従来のように、基材１を端から固定具に差し込んで、所定の位置にスライドさせる必要はない。
【００３０】
次に、横になった基材１を押し込みながら、円弧側にほぼ９０度回動させて、支持腕２の正面視での正常姿勢に戻す。
すると、軒樋支持具Ａの固定具３は、屋内側板３１と、この屋内側板３１の上端部から屋外方向に突出した上板３２と、この上板３２の先端からほぼ垂下した屋外側上板３３と、屋内側板３１の下端部から屋外方向に突出した下板３４と、この下板３４の先端からほぼ垂直に立上りした屋外側下板３５とからなる断面Ｃ型の長尺体となされているから、この固定具３の内側の上端部、下端部では、それぞれ溝部３９、４０が形成されており、この溝部３９、４０に基材１の上端部と下端部とが入る。
【００３１】
次に、基材１の屋外側面に設けられた突起１１を固定具３の屋外側上板３３の通孔３６に嵌めて、基材１を固定具３に止着する。
すると、固定具３の屋外側上板３３には通孔３６が設けられ、基材１の屋外側面に突起が設けられているから、横にした基材１を、固定具３の中に挿入し、基材１の屋外側面の突起１１と固定具３の屋外側上板３３の通孔３６との位置を合わせ、基材１を押し込みながら、円弧側にほぼ９０度回動させた後、突起１１を通孔３６に嵌めることにより、基材１を固定具３にしっかりと止着させることができる。
【００３２】
尚、基材１は屋内側板３１が傾斜して、厚みが上方に行く程薄くなされているから、固定具３の開口部３８から横にした基材１を押し込みながら挿入し、基材１の傾斜した屋内側面を固定具３の屋内側板３１に当接させながら、基材１を自在に移動したり、基材１を円弧側にほぼ９０度回動させると、基材１の屋外面に設けられた突起が固定具に引っ掛からずに、スムースに移動したり、回動させることができる。
又、この基材１には、対角位置の角が円弧状になされた円弧部１２が設けられているから、基材１が固定具３の内側の上端部、下端部の溝部３９、４０の中の上板３２や下板３４に引っ掛かからずに、スム−スに移動したり、回動させることができる。
又、固定具３には通孔３６が屋外側上板３３にほぼ一列に並んで複数個設けられているから、この複数個の通孔３６のいずれかを選んで突起１１を嵌めることによって、所定の位置に基材１を止着することができる。
【００３３】
又、基材１を固定具３から外すときは、支持腕２を持って基材１の突起１１を押し込んで、基材１の傾斜した屋内側面を、固定具３の屋内側板３１に当接させると、基材１の屋外側面の突起１１が固定具３の屋外側上板３３の通孔３６から外れるので、固定具３内の所定の位置に、基材１を自在に移動したり、回動して、基材１を固定具３から外すことができ、取り替えが容易である。
次に、この支持腕２の屋外側耳保持部２１と屋内側耳保持部２２とに、軒樋の屋外側耳と屋内側耳を取り付けて、軒樋を軒樋支持具Ａに取り付ける。
【００３４】
次に、本発明の他の実施例を図２及び図５に基づいて説明する。
図２の（イ）は軒樋支持具の支持腕と基材の側面図、（ロ）は（イ）のＹ−Ｙ線矢視図、（ハ）は軒樋支持具の固定具の斜視説明図、（ニ）は固定具に基材を固定した状態を示す説明図、図５は基材を横にして、固定具に挿入し、基材の矢印方向にほぼ９０度回動して、支持腕の正面視での正常姿勢に戻す状態を示す説明図である。
【００３５】
図１及び図４に示す軒樋支持具Ａと異なるところは、基材１ａと固定具３ａの形状が異なるだけで、下記の構造と作用を除き、構造、使用方法と作用は殆ど同じであるので、この異なるところのみを説明し、その他の説明は省略する。
【００３６】
図２において、Ｂは軒樋支持具であり、軒樋支持具Ｂの基材１ａの下端面に垂下方向に突出した突起１１ａが設けられ、対角位置の角が円弧状になされた円弧部１２ａが設けられている。
又、固定具３ａは、屋内側板３１ａと、この屋内側板３１ａの上端部から屋外方向に突出した上板３２ａと、この上板３２ａの先端からほぼ垂下した屋外側上板３３ａと、屋内側板３１ａの下端部から屋外方向に突出した下板３４ａと、この下板３４ａの先端からほぼ垂直に立上りした屋外側下板３５ａとからなる断面Ｃ型の長尺体とされている。
【００３７】
又、固定具３ａの下板３４ａには、一定間隔置いて、ほぼ一列に並んで複数個の通孔３６ａが設けられている。
基材１ａが固定具３ａの断面Ｃ型の中に挿入され、支持腕２ａを断面Ｃ型の固定具３ａの開口部３８ａから屋外方向に突出させて、基材１ａの下端面の突起１１ａが、固定具３ａの下板３４ａの通孔３６ａに嵌められ、基材１ａが固定具３ａに止着されている。
【００３８】
次に、軒樋支持具Ｂの施工方法及び作用について説明する。
横になった基材１ａを矢印方向にほぼ９０度回動させて、支持腕２ａの正面視での正常姿勢に戻して、基材１ａの下端面に設けられた突起１１ａを固定具３ａの下板３４ａの通孔３６ａに嵌めて、基材１ａを固定具３ａに止着する。
【００３９】
このようにすると、固定具３ａの下板３４ａには通孔３６ａが設けられ、基材１ａの下端面に突起１１ａが設けられているから、固定具３ａの中に横になった基材１ａを挿入し、基材１ａの下端面の突起１１ａと固定具３ａの下板３４ａの通孔３６ａとの位置を合わせ、基材１ａを矢印方向にほぼ９０度回動させた後、下方に移動させて、突起１１ａを通孔３６ａに嵌めることにより、基材１ａを固定具３ａにしっかりと止着することができる。
又、固定具３ａには通孔３６ａが、下板３４ａにほぼ一列に並んで複数個設けられているから、所定の位置に複数個の通孔３６のいずれかを選んで突起１１ａを嵌めることによって、所定の位置に基材１ａを固定具３ａに止着することができる。
【００４０】
又、基材１ａを若干持ち上げると、基材１ａの下端面の突起１１ａが固定具３ａの下板３４ａの通孔３６ａから外れた状態になるので、基材１ａの突起１１ａを通孔３６ａの位置からずらせることにより、固定具３ａ内の所定の位置に、基材１ａを自在に移動したり、回動させることができ、取り替えが容易である。
【００４１】
次に、本発明の別の実施例を図３及び図６に基づいて説明する。
図３の（イ）は軒樋支持具の支持腕と基材の側面図、（ロ）は（イ）のＺ−Ｚ線矢視図、（ハ）は軒樋支持具の固定具の斜視説明図、（ニ）は固定具に基材を固定した状態を示す説明図、図６は基材を横にして、固定具に挿入し、基材の矢印方向にほぼ９０度回動して、支持腕の正面視での正常姿勢に戻す状態を示す説明図である。
【００４２】
図１及び図４に示す軒樋支持具Ａと異なるところは、基材１ｂと固定具３ｂの形状が異なるだけで、下記の構造と作用を除き、構造、使用方法と作用は殆ど同じであるので、この異なるところのみを説明し、その他の説明は省略する。
【００４３】
図３において、Ｃは軒樋支持具であり、軒樋支持具Ｃの基材１ｂの屋内側面のほぼ中央部に窪み１１ｂが設けられ、対角位置の角が円弧状になされた円弧部１２ｂが設けられている。
又、固定具３ｂは、屋内側板３１ｂと、この屋内側板３１ｂの上端部から屋外方向に突出した上板３２ｂと、この上板３２ｂの先端からほぼ垂下した屋外側上板３３ｂと、屋内側板３１ｂの下端部から屋外方向に突出した下板３４ｂと、この下板３４ｂの先端からほぼ垂直に立上りした屋外側下板３５ｂとからなる断面Ｃ型の長尺体とされている。
又、固定具３ｂの屋内側板３１ｂには、一定間隔置いて、ほぼ一列に並んだ複数個の屋外方向に突出した突起３６ｂが設けられている。
基材１ｂが固定具３ｂの断面Ｃ型の中に挿入され、支持腕２ｂを断面Ｃ型の固定具３ｂの開口部３８ｂから屋外方向に突出させて、基材１ｂの窪み１１ｂに、固定具３ｂの屋外側面３１ｂの突起３６ｂがａ嵌められ、基材１ｂが固定具３ｂに止着されている。
【００４４】
次に、軒樋支持具Ｃの施工方法及び作用について説明する。
固定具３ｂの中に横になった基材１ｂを挿入し、基材１ｂの屋内側面のほぼ中央部に窪み１１ｂと、固定具３ｂの屋内側板３１ｂには突起３６ｂとの位置を合わせ、基材１ｂを矢印方向にほぼ９０度回動させて、支持腕２ｂの正面視での正常姿勢に戻して、基材１ｂを固定具３ｂに止着する。
【００４５】
このようにすると、固定具３ｂの屋内側板３１ｂには突起３６ｂが設けられ、基材１ｂの屋内側面のほぼ中央部に窪み１１ｂが設けられているから、固定具３ｂの中に横になった基材１ｂを挿入し、基材１ｂの屋内側面のほぼ中央部に窪み１１ｂと、固定具３ｂの屋内側板３１ｂには突起３６ｂとの位置を合わせ、基材１ｂを矢印方向にほぼ９０度回動させて、突起３６ｂを窪み１１ｂに嵌めることにより、基材１ｂを固定具３ｂにしっかりと固定することができる。
又、固定具３ｂには突起３６ｂが屋内側板３１ｂにほぼ一列に並んで複数個設けられているから、この複数個の突起３６ｂの中から所定の位置にある突起３６ｂを選んで、この突起３６ｂの場所に基材１ｂの窪みを移動させて、この所定の位置で、基材１ｂを横にして固定具３ｂの中に挿入し、基材１ｂを円弧側にほぼ９０度回動させて、基材１ｂを固定具３ｂに止着することができる。
【００４６】
次に、本発明の別の実施例を図７及び図８に基づいて説明する。
図７の（イ）は軒樋支持具の支持腕と基材の側面図、（ロ）は（イ）のＷ−Ｗ線矢視図、（ハ）は軒樋支持具の固定具の斜視説明図、（ニ）は固定具に基材を固定した状態を示す説明図、図８は基材を横にして、固定具に挿入し、基材の矢印方向にほぼ９０度回動して、支持腕の正面視での正常姿勢に戻す状態を示す説明図である。
【００４７】
図１及び図４に示す軒樋支持具Ａと異なるところは、基材１ｃと固定具３ｃの形状が異なるだけで、下記の構造と作用を除き、構造、使用方法と作用は殆ど同じであるので、この異なるところのみを説明し、その他の説明は省略する。
【００４８】
図７において、Ｄは軒樋支持具であり、軒樋支持具Ｄの基材１ｃには上片１４と下片１５の対角位置の角が円弧状になされた円弧部１２ｃが設けられている。取付板１３には屋内面の下端部にビス孔１６が設けられ、上端部にほぼ垂直に基材１ｃの中央部の山部１９が固着され、上片１４と取付板１３の屋内面間に上側隙間部１７と、下片１５と取付板１３の屋内面間に下側隙間部１８とが形成されている。
固定具３ｃは、屋内側板３１ｃと、この屋内側板３１ｃの上端部から屋外方向に突出した上板３２ｃと、この上板３２ｃの先端からほぼ垂下した屋外側上板３３ｃと、屋内側板３１ｃの下端部から屋外方向に設けられた下部材３４ｃと、この下部材３４ｃの先端からほぼ垂直に立上りした屋外側下板３５ｃとからなる断面Ｃ型の長尺体とされている。
上側隙間部１７に固定具３ｃの屋外側上板３３ｃが、下側隙間部１８に固定具３３ｃの屋外側下板３５ｃが挿入され、基材１ｃの上片１４と下片１５が固定具３３ｃに挿入され、支持腕２ｃを固定具３３ｃの屋外側上板３３ｃと屋外側下板３５ｃとの間から屋外方向に突出させて、取付板１３の下端部に設けられたビス孔１６に螺入されたビス２０で固定具３３ｃの下部材３４ｃを押圧して止着されている。
【００４９】
次に、軒樋支持具Ｄの施工方法及び作用について説明する。
固定具３ｂの中に横になった基材１ｂを挿入し、基材１ｂの屋内側面のほぼ中央部に窪み１１ｂと、固定具３ｂの屋内側板３１ｂには突起３６ｂとの位置を合わせ、基材１ｂを矢印方向にほぼ９０度回動させて、支持腕２ｂの正面視での正常姿勢に戻して、基材１ｂを固定具３ｂに止着する。
【００５０】
このようにすると、取付板１３の屋内面の下端部にビス孔１６と、上端部屋内面に基材１ｃとが設けられているから、固定具３ｃの中に横になった基材１ｃを挿入し、基材１ｃを円弧側にほぼ９０度回動させた後、取付板１３の下端部にビス孔１６にビス２０を螺入し、固定具３ｃの下部材３４ｃを押圧すると取付板１３を固定具３ｃにしっかりと止着することができる。
【００５１】
以上、本発明実施例を図面に基づいて説明してきたが、具体的な構成はこの実施例の限られるものではなく本発明の要旨を逸脱しない範囲の設計変更等があっても本発明に含まれる。
例えば、いずれの実施例においても、内吊りタイプの軒樋支持具であるが、外吊りタイプの軒樋支持具でも、受け具タイプの軒樋支持具であってもよい。
【００５２】
【発明の効果】
以上、説明してきたように、本発明の請求項１記載の軒樋支持具では、この開口部の上下間の距離は、基材の長方形状の横方向の長さより大きく、基材の長方形状の縦方向の長さより小さくなされ、基材が断面Ｃ型の中に挿入されているから、縦長の断面が長方形状の基材を横にすれば、どの位置からでも、固定具に差し込むこができ、従来のように、基材を端から固定具に差し込んで、所定の位置にスライドさせる必要はない。
【００５３】
又、軒樋支持具の固定具は、屋内側板と、この屋内側板の上端部から屋外方向に突出した上板と、この上板の先端からほぼ垂下した屋外側上板と、屋内側板の下端部から屋外方向に突出した下板と、この下板の先端からほぼ垂直に立上りした屋外側下板とからなる断面Ｃ型の長尺体となされているから、この固定具の内側の上端部、下端部では、それぞれ溝部が形成されており、この溝部に基材の上端部と下端部とが入る。
【００５４】
又、固定具の屋外側上板には通孔が設けられ、基材の屋外側面に突起が設けられているから、横にした基材を、固定具の中に挿入し、基材の屋外側面の突起と固定具の屋外側上板の通孔との位置を合わせ、基材を押し込みながら、円弧側にほぼ９０度回動させた後、突起を通孔に嵌めることにより、基材を固定具にしっかりと止着させることができる。
【００５５】
基材は屋内側板が傾斜して、厚みが上方に行く程薄くなされているから、固定具の開口部から横にした基材を押し込みながら挿入し、基材の傾斜した屋内側面を、固定具の屋内側板に当接させながら、基材を自在に移動したり、基材を円弧側にほぼ９０度回動させると、基材の屋外面に設けられた突起が固定具に引っ掛からずに、スムースに移動したり、回動させることができる。
又、この基材には、対角位置の角が円弧状になされた円弧部が設けられているから、基材が固定具の内側の上端部、下端部の溝部の中の上板や下板に引っ掛かからずに、スム−スに移動したり、回動させることができる。
又、固定具には通孔が屋外側上板にほぼ一列に並んで複数個設けられているから、この複数個の通孔のいずれかを選んで突起を嵌めることによって、所定の位置に基材を止着することができる。
【００５６】
又、基材を固定具から外すときは、支持腕を持って基材の突起を押し込んで、基材の傾斜した屋内側面を、固定具の屋内側板に当接させると、基材の屋外側面の突起が固定具の屋外側上板の通孔から外れるので、固定具内の所定の位置に、基材を自在に移動したり、回動して、基材を固定具から外すことができ、取り替えが容易である。
【００５７】
本発明の請求項２記載の軒樋支持具は、請求項１記載の軒樋支持具と異なるところは、基材と固定具の形状が異なるだけで、下記の構造と効果を除き、構造、使用方法と効果は殆ど同じであるので、この異なるところのみを説明し、その他の説明は省略する。
【００５８】
固定具の下板には通孔が設けられ、基材の下端面に突起が設けられているから、横にした基材を、固定具の中に挿入し、基材の下端面の突起と固定具の下板の通孔との位置を合わせ、基材を円弧側にほぼ９０度回動させた後、下方に移動させて、突起を通孔に嵌めることにより、基材を固定具にしっかりと止着することができる。
又、固定具には通孔が、下板にほぼ一列に並んで複数個設けられているから、複数個の通孔のいずれかを選んで突起を嵌めることによって、所定の位置に基材を止着することができる。
【００５９】
又、基材を若干持ち上げると、基材の下端面の突起が固定具の下板の通孔から外れた状態になるので、基材の突起を通孔の位置からずらせることにより、固定具内の所定の位置に、基材を自在に移動したり、回動させることができ、取り替えが容易である。
【００６０】
本発明の請求項３記載の軒樋支持具は、請求項１記載の軒樋支持具と異なるところは、基材と固定具の形状が異なるだけで、下記の構造と効果を除き、構造、使用方法と効果は殆ど同じであるので、この異なるところのみを説明し、その他の説明は省略する。
【００６１】
固定具の屋内側板には突起が設けられ、基材の屋内側面のほぼ中央部に窪みが設けられているから、固定具の中に横になった基材を挿入し、基材の屋内側面のほぼ中央部に窪みと、固定具の屋内側板には突起との位置を合わせ、基材を円弧側にほぼ９０度回動させて、突起を窪みに嵌めることにより、基材を固定具にしっかりと止着することができる。
又、固定具には突起が屋内側板にほぼ一列に並んで複数個設けられているから、この複数個の突起の中から所定位置にある突起を選んで、この突起の場所に基材の窪みを移動させて、この所定の位置で、基材を横にして固定具の中に挿入し、基材を円弧側にほぼ９０度回動させて、基材を固定具に止着することができる。
【００６２】
本発明の請求項４記載の軒樋支持具は、請求項１記載の軒樋支持具と異なるところは、基材と固定具の形状が異なるだけで、下記の構造と効果を除き、構造、使用方法と効果は殆ど同じであるので、この異なるところのみを説明し、その他の説明は省略する。
【００６３】
取付板の下端部にビス孔と、上端部屋内面に上片と下片を有する基材とが設けられているから、固定具の中に横になった上片と下片を有する基材を挿入し、上片と下片を有する基材を円弧側にほぼ９０度回動させた後、取付板の下端部にビス孔にビスを螺入し、固定具の下部材を押圧すると取付板を固定具にしっかりと止着することができる。
【図面の簡単な説明】
【図１】本発明の一実施例を示すもので、（イ）は軒樋支持具の支持腕と基材の側面図、（ロ）は（イ）のＸ−Ｘ線矢視図、（ハ）は軒樋支持具の固定具の斜視説明図、（ニ）は固定具に基材を固定した状態を示す説明図である。
【図２】本発明の他の実施例を示すもので、（イ）は軒樋支持具の支持腕と基材の側面図、（ロ）は（イ）のＹ−Ｙ線矢視図、（ハ）は軒樋支持具の固定具の斜視説明図、（ニ）は固定具に基材を固定した状態を示す説明図である。
【図３】本発明の別の実施例を示すもので、（イ）は軒樋支持具の支持腕と基材の側面図、（ロ）は（イ）のＺ−Ｚ線矢視図、（ハ）は軒樋支持具の固定具の斜視説明図、（ニ）は固定具に基材を固定した状態を示す説明図である。
【図４】本発明の一実施例を示すもので、基材を横にして、固定具に挿入し、基材の円弧側にほぼ９０度回動して、支持腕の正面視での正常姿勢に戻す状態を示す説明図である。
【図５】本発明の他の実施例を示すもので、基材を横にして、固定具に挿入し、基材の円弧側にほぼ９０度回動して、支持腕の正面視での正常姿勢に戻す状態を示す説明図である。
【図６】本発明の別の実施例を示すもので、基材を横にして、固定具に挿入し、基材の円弧側にほぼ９０度回動して、支持腕の正面視での正常姿勢に戻す状態を示す説明図である。
【図７】本発明の別の実施例を示すもので、（イ）は軒樋支持具の支持腕と基材の側面図、（ロ）は（イ）のＷ−Ｗ線矢視図、（ハ）は軒樋支持具の固定具の斜視説明図、（ニ）は固定具に基材を固定した状態を示す説明図である。
【図８】本発明の一実施例を示すもので、基材を横にして、固定具に挿入し、基材の円弧側にほぼ９０度回動して、支持腕の正面視での正常姿勢に戻す状態を示す説明図である。
【符号の説明】
Ａ、Ｂ、Ｃ、Ｄ                軒樋支持具
１、１ａ、１ｂ、１ｃ          基材
１１、１１ａ                  突起
１１ｂ                        窪み
１２、１２ａ、１２ｂ、１２ｃ  円弧部
１３                          取付板
１４                          上片
１５                          下片
１６                          ビス孔
１７                          上側隙間部
１８                          下側隙間部
１９                          山部
２０                          ビス
２、２ａ、２ｂ、２ｃ、２ｃ    支持腕
２１、２１ａ、２１ｂ、２１ｃ  屋外側耳保持部
２２、２２ａ、２２ｂ、２２ｃ  屋内側耳保持部
３、３ａ、３ｂ、３ｃ          固定具
３１、３１ａ、３１ｂ、３１ｃ  屋内側板
３２、３２ａ、３２ｂ、３２ｃ  上板
３３、３３ａ、３３ｂ、３３ｂ  屋外側上板
３４、３４ａ、３４ｂ          下板
３４ｃ                        下部材
３５、３５ａ、３５ｂ、３５ｃ  屋外側上板
３６、３６ａ                  通孔
３６ｂ                        突起
３７、３７ａ、３７ｂ、３７ｃ  取付孔
３８、３８ａ、３８ｂ、３８ｃ  開口部
３９、４０                    溝
４                            連結部材
【図１】
0003707883.tif 000002
【図２】
0003707883.tif 000003
【図３】
0003707883.tif 000004
【図４】
0003707883.tif 000005
【図５】
0003707883.tif 000006
【図６】
0003707883.tif 000007
【図７】
0003707883.tif 000008
【図８】
0003707883.tif 000009